(57)【特許請求の範囲】
【請求項１】
穴の内部寸法を計測するための装置であって、
前記穴の内部に配置されるようになされた工具（１０１、２０１、４０１）を備え、
前記工具は、前記穴の前記内部寸法と相関する応答をもたらす光学式センサ（１１２；２１２）を備える光学式カリパーを備え、
前記光学式カリパーは、前記穴の壁（ＷＢＷ）と接触するカリパーアームを有し、このカリパーアームによって前記工具を穴内で位置決めするセントラライザーとして機能し、
前記光学式センサは、光ファイバ（１１１；２１１）に連結されており、
前記光学式センサは、前記穴の壁（ＷＢＷ）と接触するカリパーアーム（１０６、１１０；２０６Ｂ）に連結されたブラッグ格子（１１２；２１２）を備える
ことを特徴とする穴の内部寸法を計測するための装置。
【請求項２】
前記光学式センサは、前記光ファイバ（１１１）の一部分に形成されたブラッグ格子（１１２）を備え、前記カリパーアームは、前記カリパーアームの動作によって前記光ファイバの前記部分を伸長／圧縮するよう、第１連結点（ＣＰ１）において前記光ファイバの前記部分に連結されており、
前記光学式センサの応答は、前記部分の伸長／圧縮にともなった、前記ブラッグ格子（１１２）を備える光ファイバの前記部分の屈折率変調の変化の計測値である
ことを特徴とする請求項１に記載の穴の内部寸法を計測するための装置。
【請求項３】
前記カリパーアームは、前記穴の内壁（ＷＢＷ）と接触する少なくとも一つのアーム（１０６）と、前記アーム（１０６）の半径方向変位を変換するための追加のアーム（１１０）と、を備え、
前記追加のアームは、前記第１連結点（ＣＰ１）に連結されている
ことを特徴とする請求項２に記載の穴の内部寸法を計測するための装置。
【請求項４】
前記カリパーアームは、前記光ファイバ（２１１）に連結され、前記穴の内壁（ＷＢＷ）と接触する可撓性アーム（２０６Ｂ）を備え、
前記光学式センサは、前記光ファイバ（２１１）の一部分に形成されたブラッグ格子（１１２）を備え、前記ブラッグ格子は前記可撓性アーム（２０６Ｂ）内／上に配置され、前記光ファイバの前記部分は、少なくとも第１連結点（ＣＰ１）および第２連結点（ＣＰ２）において前記可撓性アームに連結され、前記連結点が前記部分を間に挟み、これにより、前記可撓性アームの撓みによって前記光ファイバの前記部分が伸長／圧縮させられ、  前記光学式センサの応答は、前記部分の伸長／圧縮にともなった、前記ブラッグ格子（１１２）を備える前記光ファイバの前記部分の屈折率変調の変化の計測値である
ことを特徴とする請求項１に記載の穴の内部寸法を計測するための装置。
【請求項５】
穴の内部寸法を計測するためのシステムであって、
請求項１乃至４のうちのいずれか一項に記載の穴の内部寸法を計測するための装置を複数備え、
各装置は、少なくとも一つの光ファイバに連結され、多重通信を行う
ことを特徴とするシステム。
【請求項６】
穴の少なくとも一つのパラメータを計測するための検層工具であって、
請求項１乃至５のうちのいずれか一項に記載の穴の内部寸法を計測するための装置を少なくとも一つ備える
ことを特徴とする検層工具。
【発明の詳細な説明】
【技術分野】
【０００１】
本発明は、パイプの内部寸法を計測するための装置に関する。油田産業における本発明の計測装置の特定の用途は、炭化水素坑井ボア（well-bore） の内部寸法の計測に関する。
【背景技術】
【０００２】
炭化水素坑井を掘削し、安全にした後、一般的には、鑿井検層作業が行われる。鑿井検層作業は、炭化水素坑井の地質学的地層の様々なパラメータ（例えば、様々な深さでの抵抗や多孔度等）、および穴（抗井ボア、well-bore）内での様々なパラメータ（例えば、様々な深さでの温度、圧力、流体の種類、流体の流量、等）を計測するのに役立つ。このような計測は、検層工具によって行われる。一般的には、検層工具は、少なくとも一つのセンサ（例えば抵抗ゾンデ、機械式ゾンデ、γ線中性子ゾンデ、加速度計、圧力センサ、温度センサ、等）を備え、少なくとも一つのパラメータを計測する。一以上のパラメータを感知する同じまたは異なる複数のセンサを備えていてもよい。
【０００３】
以下の理由により、全体に沿った坑井ボアの寸法が重要なパラメータである。
第１に、炭化水素坑井を掘削した後、坑井ボアは、掘穿泥水で満たされた開放状態のボア穴である。一般的には、坑井ボアは、セメンティング作業によって囲まれている。セメンティング作業を正しく計画するため、掘削エンジニアは、坑井ボアの状態および掘穿泥水がボア穴の安定性を維持している程度の両方の定性的表示として、坑井ボアの寸法を計測することを必要とする。
第２に、ボア穴を囲んだ（ケーシングとしても既知である）とき、またはチューブを入れた（チュービングとしても既知である）とき、様々なパラメータについてのデータを集めるため、検層工具をボア穴内容物で上下させる。検層工具がボア穴内に引っ掛からないようにするため、検層作業は十分な直径のボア穴を必要とする。かくして、検層エンジニアは、ボア穴の壁の変形、褶曲、または腐蝕の可能性の定性的表示として坑井ボアを計測する必要がある。
第３に、坑井の他の特性値を決定するため、坑井ボアの寸法の計測を他の計測と組み合わせて使用することもできる。例えば、坑井ボアの寸法および流体速度の計測（例えばスピナーによる）により坑井ボア内を流れる流体の流量を計算することができる。
【０００４】
現在の検層工具において、チュービングまたはケーシングの直径の計測は、電気機械的装置または超音波装置に基づいて行われる。これらの装置は、カリパーとしても既知である。電気機械的カリパーは、機械式アームの半径方向の開きを並進移動に変換し、これを少なくとも一つの線形可変差動変成器（ＬＶＤＴ）によって検出し、一つまたは二つの方向での寸法計測を完了する。チュービングまたはケーシングを多数の箇所で計測するために複数のカリパーを使用してもよい（多アームカリパーまたは多フィンガカリパーとしても既知である）。
超音波カリパーは、高周波音響信号を使用してケーシングまたはチュービングの内径を計測する。トランスジューサー（伝送モード）が高周波パルスを放出し、パルスがケーシングまたはチュービングの壁で反射されてトランスジューサー（受信モード）に戻る。このエコーの飛行時間および流体の音響速度から直径が決定される。トランスジューサーを回転させ、ボア穴の大きさの断面および全体に亘るボア穴壁の画像を発生させるようにしてもよい。
適当な獲得システムに連結された両方の種類のカリパーは、ボア穴の深さに沿ったボア穴の計測された直径を表すカリパーログを提供する。
文献ＵＳ２，９９４，９６２には、触手アームに関連付けられたメカニカル−オプティカル変換器およびオプティカル−エレクトリカル変換器を備えるチュービング測定装置が、記載されている。
電気機械的カリパーおよび超音波カリパーは、過酷な環境（ダウンホールで一般的な高温または高圧）で使用した場合に信頼性に問題がある電子式システムを必要とする。
【発明の開示】
【０００５】
本発明の一つの目的は、過酷な条件において、従来技術のカリパーよりも信頼性が高い、穴（坑井ボア、well-bore）の内部寸法を計測するための装置を提案することである。
本発明によれば、計測装置は、穴の内部寸法と相関した応答をもたらす光学式センサを備える光学式カリパーである。光学式センサは、光ファイバに連結されている。
【０００６】
本発明の一実施形態によれば、光学式センサは、穴の壁と接触するカリパーアームに連結されたブラッグ格子を備えている。
第１の態様によれば、寸法の計測は、カリパーアームの移動にともなった伸長／圧縮で作動するブラッグ格子を含む。更に詳細には、装置は、
−前記穴の内壁と接触する少なくとも一つのアームを備え、
−前記光学式センサは、前記光ファイバの一部分に形成されたブラッグ格子を備え、前記アームは、前記アームの動作によって前記光ファイバの前記部分を伸長／圧縮するよう、第１連結点において前記光ファイバの前記部分に連結されており、
−前記光学式センサの応答は、前記ブラッグ格子を備える光ファイバの前記部分の伸長／圧縮にともなった、前記部分の屈折率変調の変化（refractive index modulation modification）の計測値である。
任意であるが、装置は、前記アームの半径方向変位を変換するための追加のアームをさらに備えている。前記追加のアームは、前記第１連結点に連結されている。
第１実施形態の第２の態様によれば、寸法の計測は、ブラッグ格子を支持するアームの撓みにともなった伸長／圧縮で作動するブラッグ格子を含む。更に詳細には、装置は、
−前記光ファイバに連結され、前記穴の内壁（ＷＢＷ）と接触する可撓性アームをさらに備え、
−前記光学式センサは、前記光ファイバの一部分に形成されたブラッグ格子を備え、前記ブラッグ格子は前記可撓性アーム内／上に配置され、前記光ファイバの前記部分は、少なくとも第１連結点および第２連結点において前記可撓性アームに連結され、前記連結点が前記部分を間に挟み、これにより、前記可撓性アームの撓みによって前記光ファイバの前記部分が伸長／圧縮させられ、
−前記光学式センサの応答は、前記ブラッグ格子を備える前記光ファイバの前記部分の伸長／圧縮にともなった、前記部分の屈折率変調の変化（refractive index modulation modification）の計測値である。
【０００７】
本発明による光学式カリパーによれば、解像度を高くすることができ、投影面積を小さくすることができ、信頼性を向上でき、そして、従来の電子装置では全く作動しない過酷な環境（例えば高温）で使用することができる。
【０００８】
光学式カリパーは、多アームでの用途で又は回転カリパーでの用途で使用された場合、穴の直径を全周に亘って、全体をカバーするように走査することができる。かくして、光学式カリパーは、穴の内部寸法およびその一体性（例えば、電位損、腐蝕現象、または穴の壁の孔）についての情報を提供する。
【０００９】
本発明の光学式カリパーは、位置の絶対的計測値を提供し、幾つかの適用で、すなわち単カリパー形体または多カリパー形体で使用することができる。
さらに、伝送波長が適切に選択された場合、例えば標準的な近赤外線伝送間隔では、光学式カリパーを遠隔感知（遠隔センシング）に使用することができる。かくして、信号を発生し、獲得し、演算処理を行う全ての電子装置は地表に設けられ、一方で、受動的な光学的エレメントだけがダウンホール内にある。
【００１０】
さらに、本発明は、穴の内部寸法を計測するためのシステムに関する。このシステムは、穴の内部寸法を計測するための任意の実施形態による複数の装置を含み、これらの装置の各々は、少なくとも一つの光ファイバに連結されており、多重通信を行う。
最後に、本発明は、さらに、穴の少なくとも一つのパラメータを計測するための検層工具に関する。検層工具は、穴の内部寸法を計測するための任意の実施形態による少なくとも一つの装置を含む。
【発明を実施するための形態】
【００１１】
本発明が、同様のエレメントに同じ参照番号を付した添付図面に、非限定的な例として示されている。
【００１２】
図１は、坑井ボアＷＢで検層作業を行うようになされた検層システムＬＳを概略的に示す。
坑井ボア（穴、well-bore）は、ボア穴（bore-hole）、ケーシング、またはチュービングであってもよい。坑井ボアには、変形ＤＦ、腐蝕ＣＲ、および穿孔ＰＦ等が加わる場合がある。これらは、坑井ボア壁ＷＢＷに悪影響を及ぼし、これにともなって坑井ボアの内部寸法に悪影響を及ぼす。坑井ボアには、全体として、坑井へッドＷＨおよびパッキン箱ＳＢが設けられている。パッキン箱は、検層システムを坑井ボア内に展開するためのシールを提供する。検層システムＬＳ全体に部分的に大気圧が加わっている一方で、坑井ボアは全体として加圧される。
検層システムＬＳは、検層工具１を含む。有利には、検層工具はセントラライザー（centralizer）５を含み、このセントラライザーは、全体として、工具１および下ノーズ５’に連結された複数の機械式アーム６、７、・・・等を含む。機械式アームは、坑井ボアの壁と接触し、これにより、工具が坑井ボア内で（例えば坑井ボアの中央軸線に沿って）確実に正しく位置決めされるように、半径方向に展開することができる。さらに、機械式アームは、坑井ボアの内部寸法（例えば直径）を計測するために使用されるカリパーアームを形成する。
検層工具は、光ファイバライン２に連結されている。光ファイバライン２は、適合した地表ユニット（adapted surface unit、例えば、車輛３および対応する展開システム４）によって坑井ボアの内部へ展開される。検層工具１によって集められた、地質学的炭化水素地層ＧＦに関するデータ、または、坑井ボアＷＢに関するデータは、地表に、例えば適当なデータ収集−分析コンピュータおよびソフトウェアを備えた車輛３に実時間（リアルタイムで）で伝送される。
光ファイバライン２は、坑井ボアの潜在的に過酷な環境（腐食性流体、高温、高圧、等）に対し、ケーブル内で保護されていてもよい。
【００１３】
図２Ａ、図２Ｂ、図２Ｃおよび図３は、本発明の第１実施形態による光学式カリパーに関する。
【００１４】
本発明は、光学式センサを含んでおり、光学式センサ内において、入射光はカリパーアームの位置の関数として変調される。カリパーアームの機械的な移動（動作）により、光学式センサの光学的応答の変化が生じる。
有利には、光学式センサは、光ファイバを備える。光ファイバの一部は、ブラッグ格子を備える。
光学式センサは、カリパーアームに連結された場合に、トランスジューサーを構成する。
ブラッグ格子を備える光ファイバ部分は、ブラッグ格子の前後の少なくとも二つの連結点によって工具（例えば工具本体、カリパーアーム）に連結されており、その結果、カリパーアームの何らかの変位により、二つの連結点間の距離の変化が生じる。二つの連結点間の距離は、カリパーアームの位置と相関し、かくしてボア穴の寸法と相関する。カリパーアームに連結されたブラッグ格子を備える光ファイバ部分を使用し、光の波長をボア穴内でのカリパーの位置の関数として変調する。光ファイバは、入射光および変調された出力光の両方の情報を伝送する。
光学式センサは、地表ユニットから完全に光学的におよび遠隔から「応答」することができる。別の態様では、光ファイバは、さらに、トランスジューサーを工具内部の電子回路に接続することができる。電子回路は、光信号の検出を行い、結果的に得られた電気信号を演算処理し、これを通常の遠隔測定システムによって地表ユニットに送出する。
図２Ａ、図２Ｂ、および図２Ｃに示す第１の態様によれば、ブラッグ格子を備える光ファイバの二つの連結点間における伸長／圧縮は、追加のアームによって得られる。
図３に示す第２の態様によれば、ブラッグ格子を備える光ファイバの二つの連結点間における伸長／圧縮は、可撓性アームによって得られる。
【００１５】
図２Ａは、本発明の一実施形態による光学式カリパーを示す。工具１０１は、セントラライザー１０５を含む。セントラライザー１０５は、枢動連結部によって工具１０１および下ノーズ１０５’に連結された四つの機械式アーム１０６、１０７、１０８、１０９を含む。各機械式アームは、坑井ボア壁ＷＢＷと接触するように、半径方向に展開することができる。例えば、機械式アーム１０６の第１部分１０６Ａは、枢動連結部１０６Ｂを介して第２部分１０６Ｃに連結されている。枢動連結部１０６Ｂは、坑井ボア壁と接触する。セントラライザーにより、工具を坑井ボアの中央軸線ＺＺ’に沿って位置決めすることができる。第１部分１０６Ａは、枢動連結部を介して追加のアーム１１０に連結されている。この追加のアームは、光ファイバ１１１に連結されている。光ファイバにはブラッグ格子１１２が設けられている。光ファイバは、第１連結点ＣＰ１によって追加のアーム１１０に連結されており、第２連結点ＣＰ２によって工具１０１の一部分に連結されている。追加のアーム１１０は、機械式アーム１０６の半径方向変位を並進移動に変換し、これにより光ファイバ１１１を第１連結点ＣＰ１と第２連結点ＣＰ２との間で延伸する。
有利には、光ファイバ１１１は、任意の可能な取り付け技術によって、例えばガラスフリットはんだ付け技術（glass frit soldering）または接着技術によって取り付けられていてもよい。例えば、上述の例では、光ファイバは、連結点ＣＰ２によって工具１０１に連結されている。しかしながら、機械式アームに移動が加わったときに、ブラッグ格子を備える光ファイバ部分を延伸することができるのであれば、さらに多くの点を連結することによって、或いは、光ファイバとアームとをファイバ全体に沿って連結することによっても同じ結果を得ることができるということは、当業者にとって明らかであろう。
さらに、上文中に説明した例では、連結点は、ブラッグ格子の二つの末端と対応する。しかしながら、連結点ＣＰ１および連結点ＣＰ２がブラッグ格子１１２のいずれかの側に設けられているのであれば、連結点がブラッグ格子の末端から離れていても同じ結果を得ることができるということは、当業者にとって明らかであろう。
【００１６】
図２Ｂおよび図２Ｃに機能的に示す光学式カリパーは、以下のように作動する。
明瞭化を図るため、図２Ｂおよび図２Ｃにはアーム１０６は１つしか示してない。
ブラッグ格子１１２は、光ファイバ１１１内に直接的に形成されている（書き込まれている、inscribed）。ブラッグ格子１１２は、光ファイバ１１１の屈折率の変調（a modulation of the refractive index）である。光ファイバは、適当な発光−検出装置（図示せず）に連結されている。この装置は、適当な波長領域（wavelength interval）の光ビームを放出し、反射光の中央波長を検出する。反射光の中央波長は、ブラッグ格子のピッチで決まる。歪みの影響により、変調度が変化し、これにより中央波長がシフトする。
工具を坑井ボアに入れたとき、坑井ボア壁と接触するアーム１０６の半径方向変位が、追加のアーム１１０の並進に変換される。機械式アームの端部は、ブラッグ格子を保持する光ファイバに取り付けられており、ブラッグ格子は、カリパーの開きの関数として伸びる。図２Ｂは、通常状態の、すなわち、最適の内部寸法の坑井ボア壁ＷＢＷと対応する第１伸びｅｌ１を示す。図２Ｃは、局所的変形ＤＦ、すなわち内部寸法が減少した坑井ボア壁ＷＢＷと対応する第２伸びｅｌ２を示す。この場合、中央波長のシフトを検出することによって並進変位を検出する。
計測の精度を保証するため、様々なアーム機構の変位を制御しなければならない。確かに、全長が１０ｃｍのファイバに関し、可能な並進移動は約１ｍｍよりも小さい（ファイバの代表的な最大伸びは１％よりも低い）。かくして、追加のアーム１１０の全撓みを１ｍｍよりも小さくするため、機構を制御しなければならない。
ブラッグ格子の伸びをカリパーアームの開きと関連させるため、較正を行ってもよい。
【００１７】
図３は、本発明の上述の実施形態の別の態様による光学式カリパーを示す。
工具２０１は、セントラライザー２０５を備えている。セントラライザー２０５は、四つの機械式アーム（図には三つだけが見える）２０６、２０７、２０８を含む。これらのアームは、工具２０１および下ノーズ２０５’に枢動連結部によって連結されている。各機械式アームは、坑井ボア壁ＷＢＷと接触するように半径方向に展開することができる。例えば、機械式アーム２０６は、第１部分２０６Ａ、第２部分２０６Ｂ、および第３部分２０６Ｃを含む。第２部分２０６Ｂは可撓性部分であり、例えば、適当な連結手段（例えばねじ等）によって第１部分２０６Ａおよび第３部分２０６Ｃに連結されたばねブレード（spring blade）である。第２部分２０６Ｂは坑井ボア壁と接触する。セントラライザーにより、工具を坑井ボアの中央軸線ＺＺ’に沿って位置決めすることができる。
機械式アーム２０６は、光ファイバ２１１（破線で示す）に連結されている。この光ファイバには、ブラッグ格子２１２（ブラッグ格子のゾーンは、破線の円で囲ってある）が設けられている。光ファイバ２１１は、アーム２０６に直接取り付けることができる。別の態様では、光ファイバは、アームの適当な溝、キャビティ、または穴（図示せず）に装着され得る。
好ましくは、ブラッグ格子は、カリパーアーム２０６のばねブレード２０６Ｂに（例えば、接着技術によって）直接取り付けられる。ブラッグ格子は、ばねブレードの撓みによる作用を直接受ける。撓みは、カリパーアームの開きと関連している。
ブラッグ格子２１２は、光ファイバ２１１に直接的に形成されている（書き込まれている、inscribed）。ブラッグ格子は、光ファイバ２１１の屈折率の変調（a modulation of the refractive index）である。光ファイバは、適当な発光−検出装置（図示せず）に連結されている。この装置は、適当な波長領域（wavelength interval）の光ビームを放出し、反射光の中央波長を検出する。反射光の中央波長は、ブラッグ格子のピッチで決まる。ばねブレードの撓みによる歪みの影響により、変調度が変化し、これにより中央波長がシフトする。
ブラッグ格子は、さらに、アームに取り付けられる前にパッケージされていてもよい。
ブラッグ格子の光学的応答をカリパーアームの開きと関連させるため、較正を行ってもよい。
【００１８】
図４は、光学式カリパーの計測値ＯＣＭ（各計測値を点で示す）と、上文中に説明した光学式カリパーで坑井ボア壁に沿って計測した坑井ボアの直径ＷＢＤ（線で示す）と、の間の相関を示す計測例である。
【００１９】
上文中に説明した両形態において、ブラッグ格子指数（Bragg grating index）は、温度で決まるということに着目されるべきである。したがって、温度が変化する環境内で寸法計測を行う場合、温度変化を補償するようにしてもよい。温度計測を行う上でどのようなセンサを使用してもよい。詳細には、温度を計測し、光学式カリパーの変形を補償するためにブラッグ格子温度センサを使用することができる。
【００２０】
上文中に説明した光学式カリパー構成は、両方とも、マルチアーム工具またはマルチフィンガカリパー工具の少なくとも一つのアームに配置することができる。有利には、多重通信技術を使用し、地表ユニットに連結された一つ以上の光ファイバで全ての計測を行う（歪み計測、坑井の温度を決定するための温度計測、および光学式カリパーの較正）。これは、工具内の様々な光ファイバに光学式カリパーを分配する一連のカップラーまたはマルチプレクサー（multiplexers）を使用することによって実施してもよい。
【００２１】
別の構成では、光ファイバ毎に多くのセンサを設ける。全てのセンサは、工具内における少なくとも一つの光ファイバ上に分配されている。
【００２２】
以上説明した第１実施形態では、下ノーズとアームとの間の連結、または、アームと工具との間の連結は枢動連結部である。しかしながら、例えば、ヒンジ、自動整合ベアリング、さねはぎ継ぎ、スライド、等のこの他の任意の種類の連結部を使用してもよい。さらに、剛性アームまたは可撓性アームは単なる例であって、これに代えて、同じ機能を持つ任意の他の機械的エレメント（例えば、リーフばね（leaf spring））を使用してもよい。
【００２３】
上述の実施形態および変形形態は、機械式アームの位置の絶対的な計測値をもたらし、油田の用途用のカリパーで使用するのに良好に適合している。
光学式カリパー計測装置の投影面積すなわちフットプリントが小さいため、光学式カリパーは、コンパクトな工具をもたらす。
さらに、光学式カリパーは電子装置を備えておらず（ボア穴内の部品について）、遠隔から光ファイバを介して応答することができる。したがって、光学式カリパーは、特に過酷な環境で、従来技術のカリパーよりも信頼性が高い。
【００２４】
炭化水素坑井に適用された光学式カリパーに関する本発明の特定の用途が説明されてきた。しかしながら、本発明は、任意のパイプ（水パイプ、下水パイプ、等）の内径の計測にも適用することができる。
【００２５】
添付図面および以上の説明は、本発明を限定するものではない。
特許請求の範囲の参照番号は、本発明を限定するものと解釈されるべきではない。「備える」という用語は、特許請求の範囲に列挙した以外の構成要素の存在を除外しない。限定されていない場合には、要素が複数存在することを除外するものではない。
【図面の簡単な説明】
【００２６】
【図１】図１は、本発明による検層システムを示す概略図である。
【図２Ａ】図２Ａは、本発明の第１実施形態によるカリパー工具を備えた工具を示す図である。
【図２Ｂ】図２Ｂは、本発明の第１実施形態の原理を概略的に示す図である。
【図２Ｃ】図２Ｃは、本発明の第１実施形態の原理を概略的に示す図である。
【図３】図３は、本発明の第１実施形態の別の態様による工具を示す図である。
【図４】図４は、カリパーの開きと図３の態様による工具で計測した歪みとの間の相関を示す計測例のグラフである。
【図１】
0004902541.tif 000002
【図２Ａ】
0004902541.tif 000003
【図２Ｂ】
0004902541.tif 000004
【図２Ｃ】
0004902541.tif 000005
【図３】
0004902541.tif 000006
【図４】
0004902541.tif 000007